(57)【要約】【課題】複数の通信方式が混在する移動通信システムにおける音声サービス用着信信号の受信処理において、加入者情報サーバと交換機との間のネットワークの負荷を必要最小限に抑える。【解決手段】本発明に係る移動通信方法は、移動局ＵＥの位置登録処理において、交換機ＳＧＳＮ/ＭＭＥが、加入者情報サーバＨＳＳに対して、配下の全てのエリアにおいてＩＭＳを介した音声サービスの提供能力が同じであるか否かについて判定するための第１情報を送信する工程Ａと、加入者情報サーバＨＳＳが、アプリケーションサーバＡＳから、状態問合せ要求を受信した場合、第１情報に基づいて、交換機ＳＧＳＮ/ＭＭＥに対して、移動局ＵＥが在圏しているエリアにおいてＩＭＳを介した音声サービスを提供することができるか否かについての問合せを行うべきか否かについて判定する工程Ｂとを有する。【選択図】図４
2011166322.tif 000002
【特許請求の範囲】
【請求項１】
移動局の位置登録処理において、第１通信方式の交換機及び第２通信方式の交換機が、加入者情報サーバに対して、配下の全てのエリアにおいてパケット交換による音声サービスの提供能力が同じであるか否かについて判定するための第１情報を送信する工程Ａと、
前記加入者情報サーバが、アプリケーションサーバから、前記移動局宛ての着信信号の受信時における状態問合せ要求を受信した場合、前記第１情報に基づいて、前記第１通信方式の交換機或いは前記第２通信方式の交換機に対して、該移動局が在圏しているエリアにおいてパケット交換による音声サービスを提供することができるか否かについての問合せを行うべきか否かについて判定する工程Ｂとを有することを特徴とする移動通信方法。
【請求項２】
前記加入者サーバが、前記第１通信方式の交換機を介した前記移動局の位置登録処理が行われた第１時刻及び前記第２通信方式の交換機を介した前記移動局の位置登録処理が行われた第２時刻を記憶する工程を更に有し、
前記工程Ｂにおいて、前記加入者情報サーバは、前記第１時刻及び前記第２時刻に基づいて、前記状態問合せ要求に応じて、前記第１通信方式の交換機或いは前記第２通信方式の交換機のどちらに対して前記問い合わせを行うべきかについて判定することを特徴とする請求項１に記載の移動通信方法。
【請求項３】
前記工程Ａにおいて、前記第１通信方式の交換機及び前記第２通信方式の交換機が、前記加入者情報サーバに対して、前記移動局が前記第１通信方式のエリアと前記第２通信方式のエリアとの間の境界を跨って移動した場合に該移動局の位置登録処理を行う必要がないという設定が行われているか否かについて示す第２情報を送信し、
前記工程Ｂにおいて、前記加入者サーバ装置は、前記第２情報に基づいて、前記設定が行われていると判定した場合には、前記第１情報の内容に関わらず、前記第１通信方式の交換機或いは前記第２通信方式の交換機に対して、前記問合せを行うことを特徴とする請求項１に記載の移動通信方法。
【請求項４】
移動局の位置登録処理において、加入者情報サーバに対して、配下の全てのエリアにおいての提供能力が同じであるか否かについて判定するための第１情報を送信するように構成されている送信部を具備することを特徴とする交換機。
【請求項５】
前記送信部は、前記加入者情報サーバに対して、前記移動局が配下のエリアと他の通信方式のエリアとの間の境界を跨って移動した場合に該移動局の位置登録処理を行う必要がないという設定が行われているか否かについて示す第２情報を送信するように構成されていることを特徴とする請求項４に記載の交換機。
【請求項６】
移動局の位置登録処理において、第１通信方式の交換機及び第２通信方式の交換機から、配下の全てのエリアにおいてパケット交換による音声サービスの提供能力が同じであるか否かについて判定するための第１情報を取得するように構成されている取得部と、
アプリケーションサーバから、前記移動局宛ての着信信号の受信時における状態問合せ要求を受信した場合、前記第１情報に基づいて、前記第１通信方式の交換機或いは前記第２通信方式の交換機に対して、該移動局が在圏しているエリアにおいてパケット交換による音声サービスを提供することができるか否かについての問合せを行うべきか否かについて判定するように構成されている判定部とを具備することを特徴とする加入者情報サーバ。
【請求項７】
前記第１通信方式の交換機を介した前記移動局の位置登録処理が行われた第１時刻及び前記第２通信方式の交換機を介した前記移動局の位置登録処理が行われた第２時刻を記憶するように構成されている記憶部を更に具備し、
前記判定部は、前記第１時刻及び前記第２時刻に基づいて、前記状態問合せ要求に応じて、前記第１通信方式の交換機或いは前記第２通信方式の交換機のどちらに対して前記問い合わせを行うべきかについて判定するように構成されていることを特徴とする請求項６に記載の加入者情報サーバ。
【請求項８】
前記取得部は、前記移動局の位置登録処理において、前記第１通信方式の交換機及び前記第２通信方式の交換機から、前記移動局が前記第１通信方式のエリアと前記第２通信方式のエリアとの間の境界を跨って移動した場合に該移動局の位置登録処理を行う必要がないという設定が行われているか否かについて示す第２情報を取得するように構成されており、
前記判定部は、前記第２情報に基づいて、前記設定が行われていると判定した場合には、前記第１情報の内容に関わらず、前記第１通信方式の交換機或いは前記第２通信方式の交換機に対して、前記問合せを行うべきであると判定するように構成されていることを特徴とする請求項７に記載の加入者情報サーバ。
【請求項９】
前記取得部は、前記移動局の位置登録処理において、前記第１通信方式の交換機及び前記第２通信方式の交換機から、前記移動局が前記第１通信方式のエリアと前記第２通信方式のエリアとの間の境界を跨って移動した場合に該移動局の位置登録処理を行う必要がないという設定が行われているか否かについて示す第２情報を取得するように構成されており、
前記判定部は、前記第２情報に基づいて、前記設定が行われていると判定した場合には、前記第１情報の内容に関わらず、前記第１通信方式の交換機或いは前記第２通信方式の交換機に対して、前記問合せを行わないと判定するように構成されていることを特徴とする請求項７に記載の加入者情報サーバ。
【発明の詳細な説明】
【技術分野】
【０００１】
本発明は、移動通信方法、交換機及び加入者情報サーバに関する。
【背景技術】
【０００２】
図８及び図９を参照して、２Ｇ/３Ｇ方式及びＬＴＥ（Ｌｏｎｇ  Ｔｅｒｍ  Ｅｖｏｌｕｔｉｏｎ）方式が混在する移動通信システムにおける音声サービス用着信信号の受信時の動作について説明する。
【０００３】
図８に示すように、サーバＳ-ＣＳＣＦ（Ｓｅｒｖｉｎｇ  Ｃａｌｌ  Ｓｅｓｓｉｏｎ  Ｃｏｎｔｒｏｌ  Ｆｕｎｃｔｉｏｎ）は、ステップＳ２００１において、音声サービス用着信信号としてのＳＩＰ（Ｓｅｓｓｉｏｎ  Ｉｎｉｔｉａｔｉｏｎ  Ｐｒｏｔｏｃｏｌ）信号である「ＩＮＶＩＴＥ」を受信すると、ステップＳ２００２において、アプリケーションサーバＡＳ（Ａｐｐｌｉｃａｔｉｏｎ  Ｓｅｒｖｅｒ）に対して、かかる「ＩＮＶＩＴＥ」を送信する。
【０００４】
ステップＳ２００３において、アプリケーションサーバＡＳは、かかる「ＩＮＶＩＴＥ」の着信ドメインを判定する。以下、図９を参照して、かかる判定動作について説明する。
【０００５】
具体的には、図９に示すように、アプリケーションサーバＡＳは、ステップＳ２００２において、「ＩＮＶＩＴＥ」を受信すると、ステップＳ２００３ａにおいて、加入者情報サーバＨＳＳ（Ｈｏｍｅ  Ｓｕｂｓｃｒｉｂｅｒ  Ｓｅｒｖｅｒ）に対して、状態問合せ要求を送信する。
【０００６】
加入者情報サーバＨＳＳは、ステップＳ２００３ｂにおいて、交換機ＳＧＳＮ（Ｓｅｒｖｉｎｇ  ＧＰＲＳ  Ｓｕｐｐｏｒｔ  Ｎｏｄｅ）に対して、状態問合せ要求を送信し、ステップＳ２００３ｃにおいて、交換機ＳＧＳＮから、「ＩＭＳ  ｖｏｉｃｅ  ｏｖｅｒ  ＰＳ  ｓｅｓｓｉｏｎ  ｓｕｐｐｏｒｔｅｄ  ｉｎｄｉｃａｔｉｏｎ」及び「Ｔｉｍｅ  ｏｆ  ｌａｓｔ  ｃｏｎｔａｃｔ」を含む状態問合せ応答を受信する。
【０００７】
或いは、加入者情報サーバＨＳＳは、ステップＳ２００３ｄにおいて、交換機ＭＭＥ（Ｍｏｂｉｌｉｔｙ  Ｍａｎａｇｅｍｅｎｔ  Ｅｎｔｉｔｙ）に対して、状態問合せ要求を送信し、ステップＳ２００３ｅにおいて、交換機ＭＭＥから、「ＩＭＳ  ｖｏｉｃｅ  ｏｖｅｒ  ＰＳ  ｓｅｓｓｉｏｎ  ｓｕｐｐｏｒｔｅｄ  ｉｎｄｉｃａｔｉｏｎ」及び「Ｔｉｍｅ  ｏｆ  ｌａｓｔ  ｃｏｎｔａｃｔ」を含む状態問合せ応答を受信する。
【０００８】
ここで、「ＩＭＳ  ｖｏｉｃｅ  ｏｖｅｒ  ＰＳ  ｓｅｓｓｉｏｎ  ｓｕｐｐｏｒｔｅｄ  ｉｎｄｉｃａｔｉｏｎ」は、移動局ＵＥが現在登録されている位置登録エリア（ＲＡ：Ｒｏｕｔｉｎｇ  Ａｒｅａ、ＴＡ：Ｔｒａｃｋｉｎｇ  Ａｒｅａ）でＩＭＳ（ＩＰ  Ｍｕｌｔｉｍｅｄｉａ  Ｓｕｂｓｙｓｔｅｍ）を介して音声サービスを提供することができるか否かについて示す情報である。かかる「ＩＭＳ  ｖｏｉｃｅ  ｏｖｅｒ  ＰＳ  ｓｅｓｓｉｏｎ  ｓｕｐｐｏｒｔｅｄ  ｉｎｄｉｃａｔｉｏｎ」は、交換機ＳＧＳＮ/ＭＭＥによって保持されている情報である。
【０００９】
また、「Ｔｉｍｅ  ｏｆ  ｌａｓｔ  ｃｏｎｔａｃｔ」は、最後に移動局ＵＥと交換機ＳＧＳＮ/ＭＭＥとの間で通信を行った時刻を示す情報である。
【００１０】
ステップＳ２００３ｆにおいて、加入者情報サーバＨＳＳは、アプリケーションサーバＡＳに対して、「ＩＭＳ  ｖｏｉｃｅ  ｏｖｅｒ  ＰＳ  ｓｅｓｓｉｏｎ  ｓｕｐｐｏｒｔｅｄ  ｉｎｄｉｃａｔｉｏｎ」及び「Ｔｉｍｅ  ｏｆ  ｌａｓｔ  ｃｏｎｔａｃｔ」を含む状態問合せ応答を送信する。
【００１１】
ステップＳ２００３ｇにおいて、アプリケーションサーバＡＳは、状態問合わせ応答に含まれる「ＩＭＳ  ｖｏｉｃｅ  ｏｖｅｒ  ＰＳ  ｓｅｓｓｉｏｎ  ｓｕｐｐｏｒｔｅｄ  ｉｎｄｉｃａｔｉｏｎ」や「Ｔｉｍｅ  ｏｆ  ｌａｓｔ  ｃｏｎｔａｃｔ」等に基づいて、「ＩＮＶＩＴＥ」の着信ドメインを判定する。
【００１２】
「ＩＮＶＩＴＥ」の着信ドメインが、ＣＳ（Ｃｉｒｃｕｉｔ  Ｓｗｉｔｃｈ、回線交換）ドメインである場合、ステップＳ２００４Ａにおいて、アプリケーションサーバＡＳは、サーバＳ-ＣＳＣＦに対して「ＩＮＶＩＴＥ」を送信し、ステップＳ２００５Ａにおいて、サーバＳ-ＣＳＣＦは、サーバＢＧＣＦ（Ｂｒｅａｋｏｕｔ  Ｇａｔｅｗａｙ  Ｃｏｎｔｒｏｌ  Ｆｕｎｃｔｉｏｎ）に対して「ＩＮＶＩＴＥ」を送信し、ステップＳ２００６Ａにおいて、サーバＢＧＣＦは、サーバＭＧＣＦ（Ｍｅｄｉａ  Ｇａｔｅｗａｙ  Ｃｏｎｔｒｏｌ  Ｆｕｎｃｔｉｏｎ）に対して「ＩＮＶＩＴＥ」を送信し、ステップＳ２００７Ａにおいて、サーバＭＧＣＦは、交換機ＭＳＣ（Ｍｏｂｉｌｅ-ｓｅｒｖｉｃｅ  Ｓｗｉｔｃｈｉｎｇ  Ｃｅｎｔｅｒ）に対して、音声サービス用着信信号としてのＩＳＵＰ（ＩＳＤＮ  Ｕｓｅｒ  Ｐａｒｔ）信号を送信する。
【００１３】
「ＩＮＶＩＴＥ」の着信ドメインが、ＩＭＳである場合、ステップＳ２００４Ｂにおいて、アプリケーションサーバＡＳは、サーバＳ-ＣＳＣＦに対して「ＩＮＶＩＴＥ」を送信し、ステップＳ２００５Ｂにおいて、サーバＳ-ＣＳＣＦは、サーバＰ-ＣＳＣＦ（Ｐｒｏｘｙ  Ｃａｌｌ  Ｓｅｓｓｉｏｎ  Ｃｏｎｔｒｏｌ  Ｆｕｎｃｔｉｏｎ）に対して「ＩＮＶＩＴＥ」を送信し、ステップＳ２００６Ｂにおいて、サーバＰ-ＣＳＣＦは、交換機Ｐ-ＧＷ又は交換機ＧＧＳＮ（Ｇａｔｅｗａｙ  ＧＰＲＳ  Ｓｕｐｐｏｒｔ  Ｎｏｄｅ）に対して、音声サービス用着信信号としてのパケット信号を送信する。
【００１４】
また、既存の移動通信システムでは、移動局ＵＥが、図１０（ａ）に示すように、交換機ＭＭＥ＃１配下のエリア（ＴＡリスト＃２内のＴＡ）と交換機ＭＭＥ＃２配下のエリア（ＴＡリスト＃３内のＴＡ）との間の境界を跨って移動した場合に、交換機ＭＭＥ＃２が、加入者情報サーバＨＳＳに対して、移動局ＵＥの位置登録を行うように構成されている。
【００１５】
同様に、既存の移動通信システムでは、移動局ＵＥが、図１０（ｂ）に示すように、交換機ＳＧＳＮ＃１配下のエリア（ＲＡ＃２）と交換機ＲＳＧＮ＃２配下のエリア（ＲＡ＃３）との間の境界を跨って移動した場合に、交換機ＳＧＳＮ＃２が、加入者情報サーバＨＳＳに対して、移動局ＵＥの位置登録を行うように構成されている。
【００１６】
すなわち、既存の移動通信システムでは、移動局ＵＥが、同一交換機ＳＧＳＮ/ＨＳＳに対して、移動局ＵＥの位置登録を行わないように構成されている。ＭＭＥ配下のエリア間の境界を跨って移動した場合には、交換機ＳＧＳＮ/ＭＭＥは、加入者情報サーバ
或いは、既存の移動通信システムでは、移動局ＵＥが、ＩＳＲ（Ｉｄｌｅ  ｍｏｄｅ  Ｓｉｇｎａｌｌｉｎｇ  Ｒｅｄｕｃｔｉｏｎ）が提供されていない状況で、交換機ＳＧＳＮ配下のエリア（ＲＡ）と交換機ＭＭＥ配下のエリア（ＴＡ）と間の境界を跨って移動した場合に、交換機ＳＧＳＮ/ＭＭＥが、加入者情報サーバＨＳＳに対して、移動局ＵＥの位置登録を行うように構成されている。
【００１７】
一方、既存の移動通信システムでは、移動局ＵＥが、ＩＳＲが提供されている状況では、交換機ＳＧＳＮ配下のエリア（ＲＡ）と交換機ＭＭＥ配下のエリア（ＴＡ）と間の境界を跨って移動した場合であっても、交換機ＳＧＳＮ/ＭＭＥが、加入者情報サーバＨＳＳに対して、移動局ＵＥの位置登録を行わないように構成されている。
【００１８】
したがって、加入者情報サーバＨＳＳは、図８及び図９を参照して説明したように、「ＩＮＶＩＴＥ」を受信するたびに、交換機ＳＧＳＮ/ＭＭＥに対して、状態問合わせ要求を送信するように構成されている。
【先行技術文献】
【非特許文献】
【００１９】
【非特許文献１】３ＧＰＰ  ＴＳ２３.２２１（７.２ｂ章）
【非特許文献２】３ＧＰＰ  ＴＳ２３.２９２（５.３.１章、７.４.２章）
【非特許文献３】３ＧＰＰ  Ｓ２-１００６６７
【非特許文献４】３ＧＰＰ  Ｓ２-１００６６８
【非特許文献５】３ＧＰＰ  Ｓ２-１００６６９
【非特許文献６】３ＧＰＰ  Ｓ２-１００６７０
【非特許文献７】３ＧＰＰ  ＴＳ２３.４０１
【非特許文献８】３ＧＰＰ  ＴＳ２３.０６０
【発明の概要】
【発明が解決しようとする課題】
【００２０】
しかしながら、上述の移動通信システムにおいて、加入者情報サーバＨＳＳは、「ＩＮＶＩＴＥ」を受信するたびに、交換機ＳＧＳＮ/ＭＭＥとの間で信号の送受信が発生し、加入者情報サーバＨＳＳと交換機ＳＧＳＮ/ＭＭＥとの間のネットワークの負荷が増加してしまう、着信の際に遅延が発生する等という問題点があった。
【００２１】
そこで、本発明は、上述の課題に鑑みてなされたものであり、複数の通信方式が混在する移動通信システムにおける音声サービス用着信信号の受信処理において、加入者情報サーバと交換機との間のネットワークの負荷を必要最小限に抑えることができる移動通信方法、交換機及び加入者情報サーバを提供することを目的とする。
【課題を解決するための手段】
【００２２】
本発明の第１の特徴は、移動通信方法であって、移動局の位置登録処理において、第１通信方式の交換機及び第２通信方式の交換機が、加入者情報サーバに対して、配下の全てのエリアにおいてパケット交換による音声サービスの提供能力が同じであるか否かについて判定するための第１情報を送信する工程Ａと、前記加入者情報サーバが、アプリケーションサーバから、前記移動局宛ての着信信号の受信時における状態問合せ要求を受信した場合、前記第１情報に基づいて、前記第１通信方式の交換機或いは前記第２通信方式の交換機に対して、該移動局が在圏しているエリアにおいてパケット交換による音声サービスを提供することができるか否かについての問合せを行うべきか否かについて判定する工程Ｂとを有することを要旨とする。
【００２３】
本発明の第２の特徴は、交換機であって、移動局の位置登録処理において、加入者情報サーバに対して、配下の全てのエリアにおいてパケット交換による音声サービスの提供能力が同じであるか否かについて判定するための第１情報を送信するように構成されている送信部を具備することを要旨とする。
【００２４】
本発明の第３の特徴は、加入者情報サーバであって、移動局の位置登録処理において、第１通信方式の交換機及び第２通信方式の交換機から、配下の全てのエリアにおいてパケット交換による音声サービスの提供能力が同じであるか否かについて判定するための第１情報を取得するように構成されている取得部と、アプリケーションサーバから、前記移動局宛ての着信信号の受信時における状態問合せ要求を受信した場合、前記第１情報に基づいて、前記第１通信方式の交換機或いは前記第２通信方式の交換機に対して、該移動局が在圏しているエリアにおいてパケット交換による音声サービスを提供することができるか否かについての問合せを行うべきか否かについて判定するように構成されている判定部とを具備することを要旨とする。
【発明の効果】
【００２５】
以上説明したように、本発明によれば、複数の通信方式が混在する移動通信システムにおける音声サービス用着信信号の受信処理において、加入者情報サーバと交換機との間のネットワークの負荷を必要最小限に抑えることができる移動通信方法、交換機及び加入者情報サーバを提供することができる。
【図面の簡単な説明】
【００２６】
【図１】本発明の第１の実施形態に係る移動通信システムの全体構成図である。
【図２】本発明の第１の実施形態に係る交換機ＳＧＳＮ/ＭＭＥの機能ブロック図である。
【図３】本発明の第１の実施形態に係る加入者情報サーバＨＳＳの機能ブロック図である。
【図４】本発明の第１の実施形態に係る移動通信システムの動作を示すシーケンス図である。
【図５】本発明の第１の実施形態に係る移動通信システムの動作を示すシーケンス図である。
【図６】本発明の第１の実施形態に係る加入者情報サーバＨＳＳの動作を示すフローチャートである。
【図７】本発明の第１の実施形態に係る加入者情報サーバＨＳＳの動作を示すフローチャートである。
【図８】従来の移動通信システムにおける着信時の動作を示すシーケンス図である。
【図９】従来の移動通信システムにおける着信時の動作を示すシーケンス図である。
【図１０】従来の移動通信システムにおける移動局の位置登録処理時の動作を説明するための図である。
【発明を実施するための形態】
【００２７】
（本発明の第１の実施形態に係る移動通信システムの構成）
図１乃至図３を参照して、本発明の第１の実施形態に係る移動通信システムの構成について説明する。
【００２８】
図１に示すように、本実施形態に係る移動通信システムは、２Ｇ/３Ｇ方式とＬＴＥ方式とが混在する移動通信システムであって、加入者情報サーバＨＳＳと、交換機ＭＳＣ/ＶＬＲ（Ｖｉｓｉｔｏｒ  Ｌｏｃａｔｉｏｎ  Ｒｅｇｉｓｔｅｒ）と、交換機ＳＧＳＮと、交換機ＧＧＳＮと、交換機ＭＭＥと、交換機Ｓ-ＧＷ/Ｐ-ＧＷと、サーバＰ-ＣＳＣＦと、サーバＳ-ＣＳＣＦと、サーバＢＧＣＦと、サーバＭＧＣＦと、アプリケーションサーバＡＳとを具備している。
【００２９】
ここで、ＩＭＳには、サーバＰ-ＣＳＣＦと、サーバＳ-ＣＳＣＦと、サーバＢＧＣＦと、サーバＭＧＣＦと、アプリケーションサーバＡＳとが含まれる。
【００３０】
加入者情報サーバＨＳＳは、加入者情報データベースであり、移動局ＵＥが現在在圏している交換機ＳＧＳＮ/ＭＭＥの情報（ＳＧＳＮ-ＩＤやＭＭＥ-ＩＤ）を保持するように構成されている。
【００３１】
交換機ＳＧＳＮは、２Ｇ/３Ｇ方式のパケット交換機であり、交換機ＭＭＥは、ＬＴＥ方式の制御信号用のパケット交換機であり、交換機Ｓ-ＧＷ/Ｐ-ＧＷは、ＬＴＥ方式のユーザデータ用のパケット交換機である。
【００３２】
アプリケーションサーバＡＳは、音声サービス用着信信号の受信時に、着信ドメインを判定する機能を具備するＳＩＰサーバである。
【００３３】
サーバＳ-ＣＳＣＦは、音声サービス用着信信号としてのＳＩＰ信号のエントリーポイントであり、着信処理を行うアプリケーションサーバＡＳを選択する機能を具備するＳＩＰサーバである。
【００３４】
サーバＰ-ＣＳＣＦは、ＩＭＳにおける音声サービス用着信信号を、パケットベアラを用いて移動局ＵＥに転送するためのＳＩＰサーバである。
【００３５】
サーバＢＧＣＦは、着信先の電話番号に応じて、宛先サーバＭＧＣＦを選択する能力を有するＳＩＰサーバである。
【００３６】
サーバＭＧＣＦは、ＳＩＰ信号とＩＳＵＰ信号とを変換するように構成されている変換装置である。
【００３７】
図２に示すように、交換機ＳＧＳＮ/ＭＭＥは、記憶部１１と、移動局インターフェイス１２と、判定部１３と、ＨＳＳインターフェイス１４とを具備している。
【００３８】
記憶部１１は、交換機ＳＧＳＮ/ＭＭＥ配下の各エリアに在圏している移動局ＵＥに係るユーザプロファイルを記憶するように構成されている。
【００３９】
例えば、記憶部１１は、交換機ＳＧＳＮ/ＭＭＥ配下のエリアに在圏している移動局ＵＥに係るユーザプロファイルとして、「Ｔｉｍｅ  ｏｆ  ｌａｓｔ  ｃｏｎｔａｃｔ」を記憶するように構成されている。
【００４０】
また、記憶部１１は、交換機ＳＧＳＮ/ＭＭＥ配下のエリアに在圏している移動局ＵＥに係るユーザプロファイルとして、かかる移動局ＵＥの在圏エリア及びＩＳＲが提供されているか否かについて記憶するように構成されている。
【００４１】
さらに、記憶部１１は、交換機ＳＧＳＮ/ＭＭＥ配下の各エリアにおいて、ＩＭＳを介した音声サービスを提供できるか否かについて記憶するように構成されている。
【００４２】
移動局インターフェイス１２は、移動局ＵＥとの間のインターフェイスであり、交換機ＳＧＳＮ/ＭＭＥ配下の各エリアにおいて、移動局ＵＥから位置登録要求を受信し、移動局ＵＥに対して位置登録応答を送信するように構成されている。かかる位置登録要求には、Ａｔｔａｃｈ要求が含まれ、かかる位置登録応答には、Ａｔｔａｃｈ応答が含まれるものとする。
【００４３】
判定部１３は、移動局インターフェイス１２によって移動局ＵＥからの位置登録要求を受信した場合、かかる移動局ＵＥに係るユーザプロファイルが記憶部１１に記憶されているか否かについて判定するように構成されている。
【００４４】
また、判定部１３は、かかる移動局ＵＥに係るユーザプロファイルが記憶部１１に記憶されていないと判定した場合、かかる移動局ＵＥに対してＩＳＲが提供されているか否かについて判定するように構成されている。
【００４５】
ＨＳＳインターフェイス１４は、加入者情報サーバＨＳＳとの間のインターフェイスであり、加入者情報サーバＨＳＳに対して「Ｌｏｃａｔｉｏｎ  Ｕｐｄａｔｅ」を送信し、加入者情報サーバＨＳＳから「Ｌｏｃａｔｉｏｎ  Ｕｐｄａｔｅ  Ａｃｋ」を受信するように構成されている。
【００４６】
具体的には、ＨＳＳインターフェイス１４は、加入者情報サーバＨＳＳに対して、新識別子＃０、新識別子＃１（又は、新識別子＃２）及び新識別子＃３を含む「Ｌｏｃａｔｉｏｎ  Ｕｐｄａｔｅ」を送信するように構成されている。
【００４７】
ここで、新識別子＃０は、上述の「ＩＭＳ  ｖｏｉｃｅ  ｏｖｅｒ  ＰＳ  ｓｅｓｓｉｏｎ  ｓｕｐｐｏｒｔｅｄ  ｉｎｄｉｃａｔｉｏｎ」の値「０」又は「１」を通知するための情報である。
【００４８】
例えば、移動局ＵＥの現在の位置登録エリアにおいてＩＭＳを介した音声サービスを提供することができる場合、新識別子＃０には「１」が設定され、移動局ＵＥの現在の位置登録エリアにおいてＩＭＳを介した音声サービスを提供することができない場合、新識別子＃０には「０」が設定されてもよい。
【００４９】
また、新識別子＃１は、交換機ＭＭＥ配下の全てのＴＡにおけるＩＭＳ提供能力が同じであるか否かについて示す情報である。
【００５０】
例えば、交換機ＭＭＥ配下の全てのＴＡにおけるＩＭＳ提供能力が同じである場合（すなわち、交換機ＭＭＥ配下の全てのＴＡにおいてＩＭＳを介した音声サービスを提供することができない場合、或いは、交換機ＭＭＥ配下の全てのＴＡにおいてＩＭＳを介した音声サービスを提供することができる場合）、新識別子＃１には「０」が設定され、交換機ＭＭＥ配下の全てのＴＡにおけるＩＭＳ提供能力が同じではない場合、新識別子＃１には「１」が設定されてもよい。
【００５１】
同様に、新識別子＃２は、交換機ＳＧＳＮ配下の全てのＲＡにおけるＩＭＳ提供能力が同じであるか否かについて示す情報である。
【００５２】
例えば、交換機ＳＧＳＮ配下の全てのＲＡにおけるＩＭＳ提供能力が同じである場合（すなわち、交換機ＳＧＳＮ配下の全てのＲＡにおいてＩＭＳを介した音声サービスを提供することができない場合、或いは、交換機ＳＧＳＮ配下の全てのＲＡにおいてＩＭＳを介した音声サービスを提供することができる場合）、新識別子＃２には「０」が設定され、交換機ＳＧＳＮ配下の全てのＲＡにおけるＩＭＳ提供能力が同じではない場合、新識別子＃２には「１」が設定されてもよい。
【００５３】
また、新識別子＃３は、各移動局ＵＥに対してＩＳＲを提供しているか否かについて示す情報である。
【００５４】
例えば、移動局ＵＥに対してＩＳＲが提供されている場合に、新識別子＃３には「１」が設定され、移動局ＵＥに対してＩＳＲが提供されていない場合に、新識別子＃３には「０」が設定されている。
【００５５】
なお、新識別子＃０乃至＃３は、所定ビット（例えば、「１」）が設定されている場合にのみ、「Ｌｏｃａｔｉｏｎ  Ｕｐｄａｔｅ」に含まれて送信されるように構成されていてもよい。
【００５６】
図３に示すように、加入者情報サーバＨＳＳは、ＡＳインターフェイス２１と、ＳＧＳＮインターフェイス２２と、ＭＭＥインターフェイス２３と、記憶部２４と、判定部２５とを具備する。
【００５７】
ＡＳインターフェイス２１は、アプリケーションサーバＡＳとの間のインターフェイスであり、アプリケーションサーバＡＳから、状態問合せ要求を受信し、アプリケーションサーバＡＳに対して、「ＩＭＳ  ｖｏｉｃｅ  ｏｖｅｒ  ＰＳ  ｓｅｓｓｉｏｎ  ｓｕｐｐｏｒｔｅｄ  ｉｎｄｉｃａｔｉｏｎ」や「Ｔｉｍｅ  ｏｆ  ｌａｓｔ  ｃｏｎｔａｃｔ」等を含む状態問合せ要求を送信するように構成されている。
【００５８】
ＳＧＳＮインターフェイス２２は、交換機ＳＧＳＮとの間のインターフェイスであり、交換機ＳＧＳＮから「Ｌｏｃａｔｉｏｎ  Ｕｐｄａｔｅ」を受信し、交換機ＳＧＳＮに対して「Ｌｏｃａｔｉｏｎ  Ｕｐｄａｔｅ  Ａｃｋ」を送信するように構成されている。
【００５９】
また、ＳＧＳＮインターフェイス２２は、交換機ＳＧＳＮに対して、状態問合せ要求を送信し、交換機ＳＧＳＮから、「ＩＭＳ  ｖｏｉｃｅ  ｏｖｅｒ  ＰＳ  ｓｅｓｓｉｏｎ  ｓｕｐｐｏｒｔｅｄ  ｉｎｄｉｃａｔｉｏｎ」や「Ｔｉｍｅ  ｏｆ  ｌａｓｔ  ｃｏｎｔａｃｔ」等を含む状態問合せ応答を受信するように構成されている。
【００６０】
同様に、ＭＭＥインターフェイス２３は、交換機ＭＭＥとの間のインターフェイスであり、交換機ＭＭＥから「Ｌｏｃａｔｉｏｎ  Ｕｐｄａｔｅ」を受信し、交換機ＭＭＥに対して「Ｌｏｃａｔｉｏｎ  Ｕｐｄａｔｅ  Ａｃｋ」を送信するように構成されている。
【００６１】
また、ＭＭＥインターフェイス２３は、交換機ＭＭＥに対して、状態問合せ要求を送信し、交換機ＭＭＥから、「ＩＭＳ  ｖｏｉｃｅ  ｏｖｅｒ  ＰＳ  ｓｅｓｓｉｏｎ  ｓｕｐｐｏｒｔｅｄ  ｉｎｄｉｃａｔｉｏｎ」や「Ｔｉｍｅ  ｏｆ  ｌａｓｔ  ｃｏｎｔａｃｔ」等を含む状態問合せ応答を受信するように構成されている。
【００６２】
記憶部２４は、交換機ＳＧＳＮを介した移動局ＵＥの位置登録処理が行われた第１時刻、及び、交換機ＭＭＥを介した移動局ＵＥの位置登録処理が行われた第２時刻を記憶するように構成されている。かかる位置登録処理には、Ａｔｔａｃｈ処理における位置登録処理が含まれるものとする。
【００６３】
また、記憶部２４は、交換機ＳＧＳＮ/ＭＭＥから受信した各移動局ＵＥに係る新識別子＃０乃至＃３に設定されていた値を記憶するように構成されていてもよい。
【００６４】
判定部２５は、交換機ＳＧＳＮ/ＭＭＥから受信した移動局ＵＥに係る新識別子＃３に設定されていた値に基づいて、かかる移動局ＵＥに対してＩＳＲが提供されているか否かについて判定するように構成されている。
【００６５】
また、判定部２５は、記憶部２４を参照して、交換機ＳＧＳＮが最後に加入者情報サーバＨＳＳにアクセスした第１時刻（すなわち、交換機ＳＧＳＮを介した移動局ＵＥの位置登録処理が行われた第１時刻）と交換機ＭＭＥが最後に加入者情報サーバＨＳＳにアクセスした第２時刻（すなわち、交換機ＭＭＥを介した移動局ＵＥの位置登録処理が行われた第２時刻）とを比較することによって、移動局ＵＥが２Ｇ/３Ｇ方式のエリア或いはＬＴＥ方式のエリアのどちらに在圏するかについて判定するように構成されている。
【００６６】
すなわち、判定部２５は、第１時刻が第２時刻よりも最近であると判定した場合、移動局ＵＥが２Ｇ/３Ｇ方式のエリアに在圏していると判定し、第２時刻が第１時刻よりも最近であると判定した場合、移動局ＵＥがＬＴＥ方式のエリアに在圏していると判定するように構成されている。
【００６７】
また、判定部２５は、交換機ＳＧＳＮから受信した移動局ＵＥに係る新識別子＃１に設定されていた値に基づいて、交換機ＳＧＳＮ配下の全てのＲＡにおいてＩＭＳ提供能力（すなわち、ＩＭＳを介した音声サービスの提供能力）が同じであるか否かについて判定するように構成されている。
【００６８】
また、判定部２５は、交換機ＭＭＥから受信した移動局ＵＥに係る新識別子＃２に設定されていた値に基づいて、交換機ＭＭＥ配下の全てのＴＡにおいてＩＭＳ提供能力（すなわち、ＩＭＳを介した音声サービスの提供能力）が同じであるか否かについて判定するように構成されている。
（本発明の第１の実施形態に係る移動通信システムの動作）
図４乃至図７を参照して、本発明の第１の実施形態に係る移動通信システムの動作について説明する。
【００６９】
第１に、図４を参照して、本実施形態に係る移動通信システムにおいて、移動局ＵＥが、交換機ＳＧＳＮを介して位置登録処理を行う場合の動作について説明する。
【００７０】
図４に示すように、ステップＳ１００１において、移動局ＵＥは、交換機ＳＧＳＮに対して、位置登録要求を送信する。ここで、かかる位置登録要求は、ＰＳドメインへの単独の位置登録要求（Ａｔｔａｃｈ要求）であってもよいし、ＬＡ（Ｌｏｃａｌ  Ａｒｅａ）及びＲＡの両者への同時の位置登録要求（Ａｔｔａｃｈ要求）であってもよい。
【００７１】
ステップＳ１００２において、交換機ＳＧＳＮは、移動局ＵＥに係るユーザプロファイルを記憶しているか否かについて（すなわち、交換機ＳＧＳＮへの新たな位置登録要求であるか否かについて）判定する。
【００７２】
交換機ＳＧＳＮは、移動局ＵＥに係るユーザプロファイルを記憶していないと判定した場合、ステップＳ１００３において、移動局ＵＥに対してＩＳＲが提供されているか否かについて判定する。
【００７３】
交換機ＳＧＳＮは、移動局ＵＥに対してＩＳＲが提供されていないと判定した場合、ステップＳ１００４Ａにおいて、加入者情報サーバＨＳＳに対して、「ＩＭＳ  ｖｏｉｃｅ  ｏｖｅｒ  ＰＳ  ｓｅｓｓｉｏｎ  ｓｕｐｐｏｒｔｅｄ  ｉｎｄｉｃａｔｉｏｎ」の値「０/１」が設定されている新識別子＃０と、交換機ＳＧＳＮ配下の全てのＲＡにおいてＩＭＳ提供能力が同じであるか否かについて示す値「０/１」が設定されている新識別子＃１と、移動局ＵＥに対してＩＳＲが提供されていないことを示す値「０」が設定されている新識別子＃３を含む「Ｌｏｃａｔｉｏｎ  Ｕｐｄａｔｅ」を送信する。
【００７４】
一方、交換機ＳＧＳＮは、移動局ＵＥに対してＩＳＲが提供されていると判定した場合、ステップＳ１００４Ｂにおいて、加入者情報サーバＨＳＳに対して、「ＩＭＳ  ｖｏｉｃｅ  ｏｖｅｒ  ＰＳ  ｓｅｓｓｉｏｎ  ｓｕｐｐｏｒｔｅｄ  ｉｎｄｉｃａｔｉｏｎ」の値「０/１」が設定されている新識別子＃０と、交換機ＳＧＳＮ配下の全てのＲＡにおいてＩＭＳ提供能力が同じであるか否かについて示す値「０/１」が設定されている新識別子＃１と、移動局ＵＥに対してＩＳＲが提供されていることを示す値「１」が設定されている新識別子＃３を含む「Ｌｏｃａｔｉｏｎ  Ｕｐｄａｔｅ」を送信する。
【００７５】
ステップＳ１００５において、加入者情報サーバＨＳＳは、交換機ＳＧＳＮに対して、「Ｌｏｃａｔｉｏｎ  Ｕｐｄａｔｅ  Ａｃｋ」を送信し、ステップＳ１００６において、交換機ＳＧＳＮは、移動局ＵＥに対して、位置登録応答を送信する。
【００７６】
第２に、図５を参照して、本実施形態に係る移動通信システムにおいて、移動局ＵＥが、交換機ＭＭＥを介して位置登録処理を行う場合の動作について説明する。
【００７７】
図５に示すように、ステップＳ２００１において、移動局ＵＥは、交換機ＭＭＥに対して、位置登録要求を送信する。ここで、かかる位置登録要求は、ＬＴＥ方式への単独の位置登録要求（Ａｔｔａｃｈ要求）であってもよいし、ＣＳ  Ｆａｌｌｂａｃｋ等で用いられるＬＡ及びＲＡの両者への同時の位置登録要求（Ａｔｔａｃｈ要求）であってもよい。
【００７８】
ステップＳ２００２において、交換機ＭＭＥは、移動局ＵＥに係るユーザプロファイルを記憶しているか否かについて（すなわち、交換機ＭＭＥへの新たな位置登録要求であるか否かについて）判定する。
【００７９】
交換機ＭＭＥは、移動局ＵＥに係るユーザプロファイルを記憶していないと判定した場合、ステップＳ２００３において、移動局ＵＥに対してＩＳＲが提供されているか否かについて判定する。
【００８０】
交換機ＭＭＥは、移動局ＵＥに対してＩＳＲが提供されていないと判定した場合、ステップＳ２００４Ａにおいて、加入者情報サーバＨＳＳに対して、「ＩＭＳ  ｖｏｉｃｅ  ｏｖｅｒ  ＰＳ  ｓｅｓｓｉｏｎ  ｓｕｐｐｏｒｔｅｄ  ｉｎｄｉｃａｔｉｏｎ」の値「０/１」が設定されている新識別子＃０と、交換機ＭＭＥ配下の全てのＴＡにおいてＩＭＳ提供能力が同じであるか否かについて示す値「０/１」が設定されている新識別子＃２と、移動局ＵＥに対してＩＳＲが提供されていないことを示す値「０」が設定されている新識別子＃３を含む「Ｌｏｃａｔｉｏｎ  Ｕｐｄａｔｅ」を送信する。
【００８１】
一方、交換機ＭＭＥは、移動局ＵＥに対してＩＳＲが提供されていると判定した場合、ステップＳ２００４Ｂにおいて、加入者情報サーバＨＳＳに対して、「ＩＭＳ  ｖｏｉｃｅ  ｏｖｅｒ  ＰＳ  ｓｅｓｓｉｏｎ  ｓｕｐｐｏｒｔｅｄ  ｉｎｄｉｃａｔｉｏｎ」の値「０/１」が設定されている新識別子＃０と、交換機ＭＭＥ配下の全てのＴＡにおいてＩＭＳ提供能力が同じであるか否かについて示す値「０/１」が設定されている新識別子＃１と、移動局ＵＥに対してＩＳＲが提供されていることを示す値「１」が設定されている新識別子＃３を含む「Ｌｏｃａｔｉｏｎ  Ｕｐｄａｔｅ」を送信する。
【００８２】
ステップＳ２００５において、加入者情報サーバＨＳＳは、交換機ＭＭＥに対して、「Ｌｏｃａｔｉｏｎ  Ｕｐｄａｔｅ  Ａｃｋ」を送信し、ステップＳ２００６において、交換機ＭＭＥは、移動局ＵＥに対して、位置登録応答を送信する。
【００８３】
第３に、図６及び図７を参照して、本実施形態に係る加入者情報サーバＨＳＳの動作について説明する。
【００８４】
図６に示すように、加入者情報サーバＨＳＳは、ステップＳ１００において、アプリケーションサーバＡＳから、状態問合わせ要求を受信すると、ステップＳ１０１において、移動局ＵＥに対してＩＳＲが提供されているか否かについて判定する（判定１）。
【００８５】
加入者情報サーバＨＳＳは、移動局ＵＥに対してＩＳＲが提供されていると判定した場合、ステップＳ１０２において、交換機ＳＧＳＮ及び交換機ＭＭＥに対して、「ＩＭＳ  ｖｏｉｃｅ  ｏｖｅｒ  ＰＳ  ｓｅｓｓｉｏｎ  ｓｕｐｐｏｒｔｅｄ  ｉｎｄｉｃａｔｉｏｎ」及び「Ｔｉｍｅ  ｏｆ  ｌａｓｔ  ｃｏｎｔａｃｔ」等についての状態問合わせ要求を送信する。
【００８６】
ここで、加入者情報サーバＨＳＳは、移動局ＵＥに対してＩＳＲが提供されていると判定した場合、ステップＳ１０２ではなく、図７に示されているステップＳ２０５に遷移し、加入者情報サーバＨＳＳは、交換機ＳＧＳＮ及び交換機ＭＭＥに対して、上述の状態問合わせ要求を送信することなく、アプリケーションサーバＡＳに対して、「ＩＭＳ  ｖｏｉｃｅ  ｏｖｅｒ  ＰＳ  ｓｅｓｓｉｏｎ  ｓｕｐｐｏｒｔｅｄ  ｉｎｄｉｃａｔｉｏｎ」及び「Ｔｉｍｅ  ｏｆ  ｌａｓｔ  ｃｏｎｔａｃｔ」等を含む状態問合わせ応答を送信するように構成されていてもよい。
【００８７】
加入者情報サーバＨＳＳが、移動局ＵＥに対してＩＳＲが提供されていないと判定した場合、本動作は、図７に示すＡに進む。
【００８８】
図７に示すように、ステップＳ２０１において、加入者情報サーバＨＳＳは、交換機ＳＧＳＮが最後に加入者情報サーバＨＳＳにアクセスした第１時刻（すなわち、交換機ＳＧＳＮを介した移動局ＵＥの位置登録処理が行われた第１時刻）と交換機ＭＭＥが最後に加入者情報サーバＨＳＳにアクセスした第２時刻（すなわち、交換機ＭＭＥを介した移動局ＵＥの位置登録処理が行われた第２時刻）とを比較することによって、移動局ＵＥが２Ｇ/３Ｇ方式のエリア或いはＬＴＥ方式のエリアのどちらに在圏するかについて判定する（判定２）。
【００８９】
加入者情報サーバＨＳＳは、移動局ＵＥが２Ｇ/３Ｇ方式のエリアに在圏すると判定した場合、ステップＳ２０２において、交換機ＳＧＳＮ配下の全てのＲＡにおいてＩＭＳ提供能力（すなわち、ＩＭＳを介した音声サービスの提供能力）が同じであるか否かについて判定する（判定３）。
【００９０】
加入者情報サーバＨＳＳが、交換機ＳＧＳＮ配下の全てのＲＡにおいてＩＭＳ提供能力が同じであると判定した場合、本動作は、ステップＳ２０５に進み、それ以外の場合、本動作は、ステップＳ２０４に進む。
【００９１】
同様に、加入者情報サーバＨＳＳは、移動局ＵＥがＬＴＥ方式のエリアに在圏すると判定した場合、ステップＳ２０３において、交換機ＭＭＥ配下の全てのＴＡにおいてＩＭＳ提供能力（すなわち、ＩＭＳを介した音声サービスの提供能力）が同じであるか否かについて判定する（判定４）。
【００９２】
加入者情報サーバＨＳＳが、交換機ＭＭＥ配下の全てのＴＡにおいてＩＭＳ提供能力が同じであると判定した場合、本動作は、ステップＳ２０５に進み、それ以外の場合、本動作は、ステップＳ２０４に進む。
【００９３】
ステップＳ２０４において、加入者情報サーバＨＳＳは、交換機ＳＧＳＮ及び交換機ＭＭＥに対して、「ＩＭＳ  ｖｏｉｃｅ  ｏｖｅｒ  ＰＳ  ｓｅｓｓｉｏｎ  ｓｕｐｐｏｒｔｅｄ  ｉｎｄｉｃａｔｉｏｎ」及び「Ｔｉｍｅ  ｏｆ  ｌａｓｔ  ｃｏｎｔａｃｔ」等についての状態問合わせ要求を送信する。
【００９４】
ステップＳ２０５において、加入者情報サーバＨＳＳは、交換機ＳＧＳＮ及び交換機ＭＭＥに対して、上述の状態問合わせ要求を送信することなく、アプリケーションサーバＡＳに対して、「ＩＭＳ  ｖｏｉｃｅ  ｏｖｅｒ  ＰＳ  ｓｅｓｓｉｏｎ  ｓｕｐｐｏｒｔｅｄ  ｉｎｄｉｃａｔｉｏｎ」及び「Ｔｉｍｅ  ｏｆ  ｌａｓｔ  ｃｏｎｔａｃｔ」等を含む状態問合わせ応答を送信する。
【００９５】
ここで、「Ｔｉｍｅ  ｏｆ  ｌａｓｔ  ｃｏｎｔａｃｔ」には、加入者情報サーバＨＳＳによって記憶されている上述の第１時刻及び第２時刻が含まれているものとする。
（本発明の第１の実施形態に係る移動通信システムの作用効果）
本実施形態に係る移動通信システムによれば、加入者情報サーバＨＳＳは、交換機ＳＧＳＮ/ＭＭＥ配下の全てのＲＡ/ＴＡにおいてＩＭＳ提供能力（すなわち、ＩＭＳを介した音声サービスの提供能力）が同じであると判定した場合には、交換機ＳＧＳＮ/ＭＭＥに対する問合せを行うことなく、アプリケーションサーバＡＳに対して状態問合せ応答を送信することができるため、２Ｇ/３Ｇ方式及びＬＴＥ方式が混在する移動通信システムにおける音声サービス用着信信号の受信処理において、加入者情報サーバＨＳＳと交換機ＳＧＳＮ/ＭＭＥとの間のネットワークの負荷を必要最小限に抑えることができる。
【００９６】
以上に述べた本実施形態の特徴は、以下のように表現されていてもよい。
【００９７】
本実施形態の第１の特徴は、移動通信方法であって、移動局ＵＥの位置登録処理において、２Ｇ/３Ｇ方式（第１通信方式）の交換機ＳＧＳＮ及びＬＴＥ方式（第２通信方式）の交換機ＭＭＥが、加入者情報サーバＨＳＳに対して、配下の全てのエリア（ＲＡ又はＴＡ）においてＩＭＳを介した音声サービス（パケット交換による音声サービス）の提供能力が同じであるか否かについて判定するための第１情報（例えば、新識別子＃１又は２）を送信する工程Ａと、加入者情報サーバＨＳＳが、アプリケーションサーバＡＳから、移動局ＵＥ宛ての着信信号（ＩＮＶＩＴＥ）の受信時における状態問合せ要求を受信した場合、第１情報に基づいて、交換機ＳＧＳＮ或いは交換機ＭＭＥに対して、移動局ＵＥが在圏しているエリア（ＲＡ又はＴＡ）においてＩＭＳを介した音声サービスを提供することができるか否かについての問合せを行うべきか否かについて判定する工程Ｂとを有することを要旨とする。
【００９８】
本実施形態の第１の特徴において、加入者サーバＨＳＳが、交換機ＳＧＳＮを介した移動局ＵＥの位置登録処理が行われた第１時刻及び交換機ＭＭＥを介した移動局ＵＥの位置登録処理が行われた第２時刻を記憶する工程を更に有し、工程Ｂにおいて、加入者情報サーバＨＳＳは、第１時刻及び第２時刻に基づいて、上述の状態問合せ要求に応じて、交換機ＳＧＳＮ或いは交換機ＭＭＥのどちらに対して、上述の問い合わせを行うべきかについて判定してもよい。
【００９９】
本実施形態の第１の特徴において、工程Ａにおいて、交換機ＳＧＳＮ及び交換機ＭＭＥが、加入者情報サーバＨＳＳに対して、移動局ＵＥが２Ｇ/３Ｇ方式のエリア（ＲＡ）とＬＴＥ方式のエリア（ＴＡ）との間の境界を跨って移動した場合に移動局ＵＥの位置登録処理を行う必要がないという設定（すなわち、ＩＳＲが提供されているという設定）が行われているか否かについて示す第２情報を送信し、工程Ｂにおいて、加入者サーバ装置ＨＳＳは、第２情報に基づいて、ＩＳＲが提供されているという設定が行われていると判定した場合には、第１情報の内容に関わらず、交換機ＳＧＳＮ或いは交換機ＭＭＥに対して、上述の問合せを行ってもよい。
【０１００】
本実施形態の第２の特徴は、交換機ＳＧＳＮ/ＭＭＥであって、移動局ＵＥの位置登録処理において、加入者情報サーバＨＳＳに対して、配下の全てのエリア（ＲＡ又はＴＡ）においてＩＭＳを介した音声サービスの提供能力が同じであるか否かについて判定するための第１情報を送信するように構成されているＨＳＳインターフェイス１４を具備することを要旨とする。
【０１０１】
本実施形態の第２の特徴において、ＨＳＳインターフェイス１４は、加入者情報サーバＨＳＳに対して、ＩＳＲが提供されているという設定が行われているか否かについて示す第２情報を送信するように構成されていてもよい。
【０１０２】
本実施形態の第３の特徴は、加入者情報サーバＨＳＳであって、移動局ＵＥの位置登録処理において、交換機ＳＧＳＮ及び交換機ＭＭＥから、配下の全てのエリア（ＲＡ又はＴＡ）においてＩＭＳを介した音声サービスの提供能力が同じであるか否かについて判定するための第１情報を取得するように構成されているＳＧＳＮインターフェイス２２/ＭＭＥインターフェイス２３と、アプリケーションサーバＡＳから、移動局ＵＥ宛ての着信信号（ＩＮＶＩＴＥ）の受信時における状態問合せ要求を受信した場合、第１情報に基づいて、交換機ＳＧＳＮ或いは交換機ＭＭＥに対して、移動局ＵＥが在圏しているエリア（ＲＡ又はＴＡ）においてＩＭＳを介した音声サービスを提供することができるか否かについての問合せを行うべきか否かについて判定するように構成されている判定部２５とを具備することを要旨とする。
【０１０３】
本実施形態の第３の特徴において、交換機ＳＧＳＮを介した移動局ＵＥの位置登録処理が行われた第１時刻及び交換機ＭＭＥを介した移動局ＵＥの位置登録処理が行われた第２時刻を記憶するように構成されている記憶部２４を更に具備し、判定部２５は、第１時刻及び第２時刻に基づいて、上述の状態問合せ要求に応じて、交換機ＳＧＳＮ或いは交換機ＭＭＥのどちらに対して、上述の問い合わせを行うべきかについて判定するように構成されていてもよい。
【０１０４】
本実施形態の第３の特徴において、ＳＧＳＮインターフェイス２２/ＭＭＥインターフェイス２３は、移動局ＵＥの位置登録処理において、交換機ＳＧＳＮ及び交換機ＭＭＥから、ＩＳＲが提供されているという設定が行われているか否かについて示す第２情報を取得するように構成されており、判定部２５は、第２情報に基づいて、ＩＳＲが提供されているという設定が行われていると判定した場合には、第１情報の内容に関わらず、交換機ＳＧＳＮ或いは交換機ＭＭＥに対して、上述の問合せを行うべきであると判定するように構成されていてもよいし、或いは、上述の問い合わせを行うべきでないと判定するように構成されていてもよい。
【０１０５】
なお、上述の移動局ＵＥ及び交換機ＳＧＳＮ/ＭＭＥや加入者情報サーバＨＳＳやアプリケーションサーバＡＳの動作は、ハードウェアによって実施されてもよいし、プロセッサによって実行されるソフトウェアモジュールによって実施されてもよいし、両者の組み合わせによって実施されてもよい。
【０１０６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１０７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び交換機ＳＧＳＮ/ＭＭＥや加入者情報サーバＨＳＳやアプリケーションサーバＡＳ内に設けられていてもよい。また、かかる記憶媒体及びプロセッサは、ディスクリートコンポーネントとして移動局ＵＥ及び交換機ＳＧＳＮ/ＭＭＥや加入者情報サーバＨＳＳやアプリケーションサーバＡＳ内に設けられていてもよい。
【０１０８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【０１０９】
ＳＧＳＮ、ＭＭＥ…パケット交換機
ＨＳＳ…加入者情報サーバ
１１、２４…記憶部
１２…移動局インターフェイス
１３、２５…判定部
１４…ＨＳＳインターフェイス
２１…ＡＳインターフェイス
２２…ＳＧＳＮインターフェイス
２３…ＭＭＥインターフェイス
【図１】
2011166322.tif 000003
【図２】
2011166322.tif 000004
【図３】
2011166322.tif 000005
【図４】
2011166322.tif 000006
【図５】
2011166322.tif 000007
【図６】
2011166322.tif 000008
【図７】
2011166322.tif 000009
【図８】
2011166322.tif 000010
【図９】
2011166322.tif 000011
【図１０】
2011166322.tif 000012
【手続補正書】
【提出日】平成23年5月6日(2011.5.6)
【手続補正１】
【補正対象書類名】特許請求の範囲
【補正対象項目名】全文
【補正方法】変更
【補正の内容】
【特許請求の範囲】
【請求項１】
移動局の位置登録処理において、第１通信方式の交換機及び第２通信方式の交換機が、加入者情報サーバに対して、配下の全てのエリアにおいてパケット交換による音声サービスの提供能力が同じであるか否かについて判定するための第１情報を送信する工程Ａと、
前記加入者情報サーバが、アプリケーションサーバから、前記移動局宛ての着信信号の受信時における状態問合せ要求を受信した場合、前記第１情報に基づいて、前記第１通信方式の交換機或いは前記第２通信方式の交換機に対して、該移動局が在圏しているエリアにおいてパケット交換による音声サービスを提供することができるか否かについての問合せを行うべきか否かについて判定する工程Ｂとを有することを特徴とする移動通信方法。
【請求項２】
第１通信方式の交換機であって、
移動局の位置登録処理において、加入者情報サーバに対して、配下の全てのエリアにおいてパケット交換による音声サービスの提供能力が同じであるか否かについて判定するための第１情報を送信するように構成されている送信部を具備しており、
前記第１情報は、前記加入者情報サーバが、アプリケーションサーバから、前記移動局宛ての着信信号の受信時における状態問合せ要求を受信した場合、前記第１通信方式の交換機或いは第２通信方式の交換機に対して、該移動局が在圏しているエリアにおいてパケット交換による音声サービスを提供することができるか否かについての問合せを行うべきか否かについて判定するために用いられることを特徴とする交換機。
【請求項３】
移動局の位置登録処理において、第１通信方式の交換機及び第２通信方式の交換機から、配下の全てのエリアにおいてパケット交換による音声サービスの提供能力が同じであるか否かについて判定するための第１情報を取得するように構成されている取得部と、
アプリケーションサーバから、前記移動局宛ての着信信号の受信時における状態問合せ要求を受信した場合、前記第１情報に基づいて、前記第１通信方式の交換機或いは前記第２通信方式の交換機に対して、該移動局が在圏しているエリアにおいてパケット交換による音声サービスを提供することができるか否かについての問合せを行うべきか否かについて判定するように構成されている判定部とを具備することを特徴とする加入者情報サーバ。
【請求項４】
第１通信方式の交換機と第２通信方式の交換機と加入者情報サーバとを具備する移動通信システムであって、
移動局の位置登録処理において、前記第１通信方式の交換機及び前記第２通信方式の交換機は、前記加入者情報サーバに対して、配下の全てのエリアにおいてパケット交換による音声サービスの提供能力が同じであるか否かについて判定するための第１情報を送信するように構成されており、
前記加入者情報サーバは、アプリケーションサーバから、前記移動局宛ての着信信号の受信時における状態問合せ要求を受信した場合、前記第１情報に基づいて、前記第１通信方式の交換機或いは前記第２通信方式の交換機に対して、該移動局が在圏しているエリアにおいてパケット交換による音声サービスを提供することができるか否かについての問合せを行うべきか否かについて判定するように構成されている移動通信システム。